(57)【特許請求の範囲】
【請求項１】
風邪予防のうがいができるように、茶の抽出成分である茶ポリフェノールを溶融状態のポリエチレン樹脂と混合しコップに成形してなるうがい用コップ。
【請求項２】
茶ポリフェノールがエピガロカテキンガレート、エピカテキンガレート、エピガロカテキン、エピカテキン、（＋）カテキンおよびこれらの属性体、遊離型テアフラビン、テアフラビンモノガレートＡ、テアフラビンモノガレートＢ並びにテアフラビンジガレートの中から選ばれた少なくとも１種の物質とする請求項１記載のうがい用コップ。
【請求項３】
ポリエチレン樹脂にかえて、ポリプロピレンあるいはアクリロニトリル−ブタジエン−スチレン樹脂としたことを特徴とする請求項１または２記載のうがい用コップ。
【発明の詳細な説明】
【０００１】
【発明の属する技術分野】
本発明は、インフルエンザウイルスなどによる風邪の予防をおこなうためにうがいに使用されるうがい用コップと吸入器に関するものである。
【０００２】
【従来の技術】
従来、この種のうがい薬は液体状のものが市販されており、通常水をいれたコップにうがい薬を入れ、風邪予防などのためにうがいをしていた。また、うがい薬としては、色々なものが市販されているが、お茶からの天然抽出成分で、しかもインフルエンザウイルスなどに対して不活化効果がある、特開平３−１０１６２３号公報に記載された茶ポリフェノールが知られている。
【０００３】
【発明が解決しようとする課題】
このような従来のうがい薬では、通常うがい薬とコップが別々になっているため、うがいをする場合にはコップに水をいれ、適量のうがい薬をいれて、その後うがいをする必要があった。風邪が流行している時期に人が多い場所や病院などに出掛けると風邪をうつされる可能性が高く、帰宅してからうがいを実施するよりも、その時に適時うがいをおこなう方が風邪予防には効果的である。したがって、たとえば外出時などどちらか一方がない場合、効果的なうがいをできないため、常にうがい薬とコップを用意しておくことが要求されている。また、うがい薬の適量は決まっており、必要以上に多く入れると人体にも悪影響を及ぼす可能性もあるため、最適な量を必ずいれることが要求されている。
【００１１】
本発明は、このような従来の課題を解決するものであり、コップ自体にうがい薬を練り込むことで、１つのコップで何回も使用することができ、しかも寿命が長いうがい用コップを提供することを目的し、また、特にインフルエンザウイルスなど風邪の病原ウイルスに対して不活化効果が高い茶ポリフェノールをうがい薬として用いることで、天然抽出成分であるため安全性が高く、かつ効果的な風邪予防をおこなうことができるうがい用コップを提供することを目的とし、また、茶ポリフェノールを分離精製し、風邪予防により効果的なうがい薬を用いることで、風邪予防に効果的なうがい用コップを提供することを目的としている。
【００１９】
【課題を解決するための手段】
上記課題を解決するための本発明のうがい用コップの一つの手段は、風邪予防のうがいができるように、茶の抽出成分である茶ポリフェノールを溶融状態のポリエチレン樹脂と混合しコップに成形し、コップ自体の材料にうがい薬を練り込んだものであり、また、他の手段は、茶ポリフェノールがエピガロカテキンガレート、エピカテキンガレート、エピガロカテキン、エピカテキン、（＋）カテキンおよびこれらの属性体、遊離型テアフラビン、テアフラビンモノガレートＡ、テアフラビンモノガレートＢ並びにテアフラビンジガレートの中から選ばれた少なくとも１種の物質とする請求項１記載のうがい用コップとしたものであり、また、他の手段は、ポリエチレン樹脂にかえて、ポリプロピレンあるいはアクリロニトリル−ブタジエン−スチレン樹脂としたことを特徴とする請求項１または２記載のうがい用コップとしたものである。
【００２２】
【発明の実施の形態】
本発明の請求項１に記載の発明は、風邪予防のうがいができるように、茶の抽出成分である茶ポリフェノールを溶融状態のポリエチレン樹脂と混合しコップに成形してなるうがい用コップとしたもので、うがい薬である茶ポリフェノールをコップに練り込んだものであり、安価に製造でき、何回も使用することができ、しかも寿命が長いという作用を有する。請求項２に記載の発明は、茶ポリフェノールがエピガロカテキンガレート、エピカテキンガレート、エピガロカテキン、エピカテキン、（＋）カテキンおよびこれらの属性体、遊離型テアフラビン、テアフラビンモノガレートＡ、テアフラビンモノガレートＢ並びにテアフラビンジガレートの中から選ばれた少なくとも１種の物質としたものであり、茶ポリフェノールを特定することでうがいによる風邪予防の効果をより高めるという作用を有する。請求項３に記載の発明は、ポリエチレン樹脂にかえて、ポリプロピレンあるいはアクリロニトリル−ブタジエン−スチレン樹脂としたことを特徴とする請求項１または２記載のうがい用コップとしたもので、徐々に溶け出し、何回も使用することができ、しかも寿命が長いという作用を有する。
【００２３】
【実施例】
以下、本発明の実施例について図面を参照しながら説明する。なお、同一構成のものは、同一番号を付して詳しい説明は省略する。
【００２４】
（参考例１）図１はコップ１の断面図を示し、図においてコップ１の内側の表面に粒状のうがい薬２を図示はしていないが、人体に無害な水飴などの接着剤を使用して付着させている。
【００２５】
上記構成において、コップ１内に水をそそぐとコップ１内側に付着したうがい薬２が溶けて、そのまま、口の中に入れうがいをおこなうことで風邪予防に効果的なうがいを実施できる。
【００２６】
なお、コップは通常の円筒状のもので示したが、取手がついたものや、円筒状だけでなく他の形状でも良く、材質についても、陶器製、樹脂製、金属製、木製など、水が貯まるものであれば同様の効果が得られる。また、形状は、コップ自体を重ねられる構造にした方が、多くのコップを１度に携帯することが可能であるので好ましい。さらに、うがい薬をコップに付着させる方法として、水飴などの接着剤を示したが、接着剤に限らず、うがい薬がコップにくっついていれば良い。
【００２７】
（参考例２）うがい薬２を茶からの天然抽出成分である茶ポリフェノールを用いることで、天然成分であるため非常に安全性が高いため、少々濃度が高くても人体に対して悪影響を及ぼす可能性が少ない。しかも、風邪の病原体である細菌やウイルスに対して抗菌作用や抗ウイルス作用を有しているため、うがいをおこなうことで風邪予防を効果的におこなうことができる。また、茶ポリフェノールは、抽出した後に乾燥することで、粉状にもなるため、ペレットに成形でき、実施例１同様に水飴などの接着剤を使用して、簡単にコップに付着させることができる。
【００２８】
（実施例１）本発明の茶ポリフェノールを分離精製し、具体的には下記の式
【００２９】
【化１】
0003781478.tif 000002
【００３０】
で表される茶カテキン類と下記の式
【００３１】
【化２】
0003781478.tif 000003
【００３２】
で表される茶テアフラビン類をうがい薬とすることで、単なる茶の抽出成分では、不純物が多く含まれるため、分離精製することで抗菌作用、抗ウイルス作用をより発揮することができる。この茶ポリフェノールは茶葉を原料として製造することができ、その製造や組成の１例は特開昭５９−２１９３８４号、同６０−１３７８０号、同６１−１３０２８５号公報などに記載されている。この茶ポリフェノールは抗菌作用だけでなく、ウイルス不活化剤としても有効である。
【００３３】
（参考例３）
図２は、使い捨てができるコップ１ａの断面図を示し、図１と同一であるため、詳しい説明は省略する。コップ１ａの材質を紙製とすることで、安価および廃棄したときに問題がない材質であるため使い捨てが可能となる。一般的に、使い捨てができるためには、安価で廃棄した場合に問題がないことが必要となる。また、安価にするために、コップ１ａ自体の肉厚を薄くし、軽量、コンパクト化を図り、携帯する場合も楽に持ち運びが可能となるいう効果も得られる。
【００３４】
なお、以上の説明では、コップの材質を紙製としたが、フィルム状の樹脂製やアルミ箔のような金属製でもコストが安く、廃棄する場合に問題がなく、また、うがい薬を付着させるのに問題がない材質であれば、同様に実施可能である。
【００３５】
（参考例４）図３は、液体がしみこむコップ１ｂの断面図を示し、図において、陶器製のコップ１ｂに液体状のうがい薬２ａが含浸されている。
【００３６】
上記構成において、コップ１ｂは素焼きなどの陶器を用いた場合、多孔質であるため、液体状のうがい薬２ａをコップ１ｂの中にいれておくだけで、うがい薬２ａがしみこむ。その後、乾燥あるいは焼成することで、うがい薬２ａが液体状あるいは粉末状でコップ１ｂ自体に保持される。水をそそぐことで、水もコップ１ｂの素材自体にしみ込み、うがい薬２ａが徐々に水に溶けてくる。うがい薬２ａの量を適量に調整することで、１つのコップ１ｂで何回も水をそそぐだけでうがい薬２ａが溶け出してくるため、効果的なうがいを実施することができる。また、コップ１ｂの外側は釉薬を塗ることで、コップ１ｂの外側にうがい薬２ａがしみでることを防止することができる。
【００３７】
なお、以上の説明では、液体がしみこむコップとして、素焼きの陶器製のコップとしたが、多孔質の材質でうがい薬が含浸しやすい材料であれば、紙製や他の材料でも同様に実施可能である。また、乾燥や焼成をおこなう場合、うがい薬が変質したり、効果が低下したりしない範囲の温度でおこなうことはいうまでもない。
【００３８】
（参考例５）図４は、コップ１の断面図を示し、図において、コップ１の内側の表面にうがい薬２が塗布されている。うがい薬２として用いる茶ポリフェノールを水に溶かし、はけやスプレーでコップ１の内側に塗り、その後乾燥することで、均一に塗布することができる。
【００３９】
上記構成において、コップ１に水をそそぐとコップ１の内側に塗布されたうがい薬２がすぐに水と接触するため、水に溶ける。この場合、塗布されたうがい薬２は、風邪予防に効果がある所定の量を塗布することが可能であるため、水をそそぐだけで最適なうがい薬の濃度に設定することができる。
【００４０】
（実施例２）図５は、コップ１の断面図を示し、図において、コップ１の材料に予めうがい薬２を練り込んだものである。コップ１の材料をポリエチレン樹脂とし、茶ポリフェノールなどのうがい薬２を溶融状態のポリエチレン樹脂と混合する。そして、金型に入れ、コップ１に成形することで、コップ１自体の材料にうがい薬２を練り込むことができる。
【００４１】
上記構成において、コップ１に水をそそぐと、コップ１に練り込まれたうがい薬２は、徐々に溶け出してくる。練り込んだ場合、溶け出してくる量は少ないため、練り込んだ量と溶けだしてくる量とを調整して、最適なうがい薬２の練り込み量を決める。練り込んだ場合、うがい薬２は徐々に溶け出してくるため、かなりの回数を使用しても効果が低下する可能性が少なく、寿命の長いうがい用コップとなる。また、うがい薬をコップの材料自体に直接練り込むことで、工数の削減ができ、非常に安価で製造できる。
【００４２】
なお、以上の説明では、コップの材質はポリエチレン樹脂製としたが、たとえば、ポリプロピレン（ＰＰ）、アクリロニトリル−ブタジエン−スチレン（ＡＢＳ）などの樹脂や、また、紙などのうがい薬といっしょにすきこむことができ、うがい薬を練り込める材料で、水をそそいだときに徐々にうがい薬が溶け出してくる材料であれば、同様の実施効果が期待できる。
【００４３】
（参考例６）図６は、コップ１の断面図を示し、図において、コップ１の内側にペースト状のうがい薬２を塗布したものである。
【００４４】
上記構成において、茶ポリフェノールなどのうがい薬２は通常粉状であるため、水をそそいだときに、すぐには溶けにくい。したがって、水などの液体と混合し予めペースト状とすることで、非常に水に溶けやすい状態となる。このペースト状のうがい薬２をコップ２の内側に塗布することで、コップ１に水をそそぐことで、即座にうがい薬２が溶けて、最適なうがい薬の濃度となるため、完全に溶けるまでの時間を待たせる必要もなく、効果的なうがいを実施することができる。
【００４５】
なお、通常うがい用コップとした場合は、衛生上コップ自体を密封しておくため、長期保管時でも、コップ内側に塗布したペースト状のうがい薬が乾燥することはなく、上記の効果を妨げることはない。
【００４６】
（参考例７）図７は、コップ１ｃの外観図を示し、図において、コップ１ｃは紙製で、長方形のものが２枚重ねられたもので、上端部３を除いて、側端部４、底端部５が接着されている。このコップ１ｃの内側にはうがい薬２が塗布されている。折りたたみができる構造とは、通常コップとして、使用しない場合は、平板状の形状であり、コップとして使用する場合に、間口を広げることで水を溜めることができる構造をいう。
【００４７】
上記構成において、コップ１ｃは長方形の２枚重ねであるため、通常コップ１ｃとして使用しない場合は、平板となっているため、コップ１ｃ自体を何枚も重ねて携帯することができる。また、コップ１ｃとして使用する場合は、上端部３を広げることで、上端部３より水をそそぎ、側端部４、底端部５は接着されているため、水がこぼれることはない。コップ１ｃ内に水がそそがれると、コップ１ｃの内側に塗布されたうがい薬２が溶けだし、その水でうがいをおこなうことで風邪予防に効果的なうがいを実施することができる。また、何枚も重ねて携帯しても、かさばらないため、たとえば外出時など多くのうがい用コップを持ち運ぶことができ、ひとが多い場所、あるいは病院など風邪をうつされる可能性のある場所へ出掛けたときは適時うがいを実施できる。
【００４８】
なお、以上の説明では、長方形のコップとしたが、形状についてはどのような形でも良く、広げた時に水を溜めることができるものであれば、同様の効果が期待できる。また、図８に折りたたんだ状態の円筒状のコップ１ｃを示すが、これは側面６をつぶして平板状として、底面７を側面６の方向へ折り曲げて全体を平板状にしたものである。これも上端部３ａを広げることで、円筒状のコップ１ｃとなり同様に実施可能である。
【００４９】
（参考例８）図９は、コップ１の断面図を示し、図において、コップ１の内側には、ペースト状のうがい薬２ｂが塗布されている。このうがい薬２ｂの表面は、オブラートなどの水と接触することで溶けてしまう薄膜８でおおわれている。
【００５０】
上記構成において、コップ１に水をそそぐことで、まず、薄膜８と水が接触し、薄膜８が水に溶ける。次に薄膜８が溶けてしまうため、水とうがい薬２ｂが接触し、うがい薬２ｂが溶ける。うがい薬２ｂが溶けた時点でうがいをおこなえば、風邪予防に効果的なうがいを実施することができる。たとえば、円筒状のコップ１を同じコップ１に重ねた場合、コップ１の外側にうがい薬２ｂが付着して、最適なうがい薬２ｂの濃度よりも低い濃度となってしまう可能性があり、それを防止することができる。
【００５２】
【発明の効果】
以上のように本発明によれば、茶ポリフェノールという茶からの天然抽出成分であるため安全性が高く、しかも、インフルエンザウイルスなど風邪の病原ウイルスに対して不活化効果が高いものを、うがい薬として用いることで、風邪予防に効果的なうがい用コップが提供できるという有利な効果が得られる。
【００５３】
また、予め風邪予防に効果的なうがい薬である茶ポリフェノールをコップに練り込みができるため、水をそそいだときにうがい薬である茶ポリフェノールが徐々に溶け出し何回も使用することができ、しかも寿命が長いうがい用コップを提供できるという有利な効果が得られる。
【図面の簡単な説明】
【図１】  本発明の参考例１によるコップを示す断面図
【図２】  同参考例３によるコップの断面図
【図３】  同参考例４によるコップの断面図
【図４】  同参考例５によるコップの断面図
【図５】  同実施例２によるコップの断面図
【図６】  同参考例６によるコップの断面図
【図７】  同参考例７によるコップの外観図
【図８】  同円筒状のコップの外観図
【図９】  同参考例８によるコップの断面図
【符号の説明】
１    コップ
１ｂ  液体がしみこむコップ
１ｃ  折りたたみができる構造のコップ
２    うがい薬
２ａ  液体状のうがい薬
２ｂ  ペースト状のうがい薬
８    薄膜
【図１】
0003781478.tif 000004
【図２】
0003781478.tif 000005
【図３】
0003781478.tif 000006
【図４】
0003781478.tif 000007
【図５】
0003781478.tif 000008
【図６】
0003781478.tif 000009
【図７】
0003781478.tif 000010
【図８】
0003781478.tif 000011
【図９】
0003781478.tif 000012